(57)【要約】【課題】部品自体が薄型化された回転型電気部品を提供すること。【解決手段】ケース１と、ケース１に対して回転可能な操作体４と、操作体４に取り付けられた発光素子７の端子に接続される摺動子８ａ、９ａと、ケース１内に配設され摺動子８ａ、９ａが摺接する給電用パターン２ａ、２ｂと、操作体４の回転検出用の摺動パターンが形成された絶縁基板３と、摺動パターンに摺接する摺動子２ｃとを備える回転型電気部品において、絶縁基板３における摺動パターンの形成面は、一定の空間を介してケース１における給電用パターン２ａ、２ｂの配設面と対向配置され、摺動子８ａ、９ａ及び摺動子２ｃは、上記空間内でそれぞれ給電用パターン２ａ、２ｂ及び摺動パターンに摺接することを特徴とする。【選択図】図１
2007311645.tif 000002
【特許請求の範囲】
【請求項１】
筐体と、前記筐体に対して回転可能な操作体と、前記操作体に取り付けられた照光部材の端子に接続される可動接点と、前記筐体内に配設され前記可動接点が摺接する給電用パターンと、前記操作体の回転検出用の摺動パターンが形成された基板と、前記摺動パターンに摺接する摺動子とを備える回転型電気部品であって、前記基板における前記摺動パターンの形成面は、一定の空間を介して前記筐体における前記給電用パターンの配設面と対向配置され、前記可動接点及び摺動子は、前記空間内でそれぞれ前記給電用パターン及び摺動パターンに摺接することを特徴とする回転型電気部品。
【請求項２】
前記給電用パターンと前記摺動パターンとが対向配置されることを特徴とする請求項１記載の回転型電気部品。
【請求項３】
前記基板に、切り欠き部又は貫通孔からなる貫通部を設け、当該貫通部から前記給電用パターンに向けて前記可動接点を露出させたことを特徴とする請求項１又は請求項２記載の回転型電気部品。
【請求項４】
前記可動接点は、前記貫通部の範囲内で前記給電用パターンに向けて露出することを特徴とする請求項３記載の回転型電気部品。
【請求項５】
前記操作体に着脱可能に設けられ、前記照光部材を保持するホルダーを備え、前記可動接点は、前記ホルダーの一端に取り付けられることを特徴とする請求項１から請求項４のいずれかに記載の回転型電気部品。
【請求項６】
前記筐体内で前記摺動子を保持する保持部材を備え、前記保持部材に前記給電用パターンを接続すると共に、当該保持部材に前記摺動子及び給電用パターンと導通する複数の端子を設けたことを特徴とする請求項１から請求項５のいずれかに記載の回転型電気部品。
【請求項７】
前記筐体内に、前記給電用パターンの位置決めを行うためのガイド部を設けたことを特徴とする請求項１から請求項６のいずれかに記載の回転型電気部品。
【発明の詳細な説明】
【技術分野】
【０００１】
本発明は、回転型電気部品に関し、特に、電子機器等の各種制御に使用される回転型電気部品に関する。
【背景技術】
【０００２】
従来、電子機器等の各種制御に使用される照光機能付きの回転型電気部品において、一方の面に発光素子への給電用パターンが形成される一方、他方の面に回転検出手段を構成する摺動パターン（例えば、コモンパターン及び抵抗パターン）が形成される基板を、部品内部に配設したものが提案されている（例えば、特許文献１参照）。かかる回転型電気部品によれば、給電用パターン及び摺動パターンを異なる基板に形成する場合と比べて部品自体の薄型化を図ることが可能となる。
【特許文献１】特開２００６−１９０４６号公報（第３図）
【発明の開示】
【発明が解決しようとする課題】
【０００３】
しかしながら、上述のような従来の回転型電気部品においては、給電用パターン上を摺動する摺動子、並びに、摺動パターン上を摺動する摺動子を基板の両方の面に配設する必要があるため、これらの摺動子を配設するスペースを設けなければならず、部品自体の薄型化が制限されるという問題がある。
【０００４】
本発明はかかる問題点に鑑みてなされたものであり、部品自体の薄型化を図ることができる回転型電気部品を提供することを目的とする。
【課題を解決するための手段】
【０００５】
本発明の回転型電気部品は、筐体と、前記筐体に対して回転可能な操作体と、前記操作体に取り付けられた照光部材の端子に接続される可動接点と、前記筐体内に配設され前記可動接点が摺接する給電用パターンと、前記操作体の回転検出用の摺動パターンが形成された基板と、前記摺動パターンに摺接する摺動子とを備える回転型電気部品であって、前記基板における前記摺動パターンの形成面は、一定の空間を介して前記筐体における前記給電用パターンの配設面と対向配置され、前記可動接点及び摺動子は、前記空間内でそれぞれ前記給電用パターン及び摺動パターンに摺接することを特徴とする。
【０００６】
上記回転型電気部品によれば、基板における摺動パターンの形成面と、筐体における給電用パターンの配設面との間に形成される空間内において、可動接点及び摺動子がそれぞれ給電用パターン及び摺動パターンに摺接することから、可動接点及び摺動子を別個に収容する空間を形成する必要がなくなるので、部品自体を薄型化することが可能となる。
【０００７】
特に、上記回転型電気部品においては、前記給電用パターンと前記摺動パターンとを対向配置することが好ましい。この場合には、給電用パターン及び摺動パターンを形成するスペースを共用することができるので、当該スペースの幅を縮小でき、部品自体を小型化することが可能となる。
【０００８】
また、上記回転型電気部品において、前記基板に、切り欠き部又は貫通孔からなる貫通部を設け、当該貫通部から前記給電用パターンに向けて前記可動接点を露出させることが好ましい。この場合には、貫通部を介して可動接点が給電用パターンに向けて露出することから、基板の領域内で可動接点を給電用パターンに摺接させることができるので、より部品自体を小型化することが可能となる。
【０００９】
特に、上記回転型電気部品においては、前記可動接点を、前記貫通部の範囲内で前記給電用パターンに向けて露出することが好ましい。この場合には、貫通部の範囲内で可動接点が露出することから、貫通部が必要以上に大きくなるのを防止でき、基板の強度が低下するのを防止することが可能となる。
【００１０】
また、上記回転型電気部品において、前記操作体に着脱可能に設けられ、前記照光部材を保持するホルダーを備え、前記可動接点を、前記ホルダーの一端に取り付けるようにしても良い。この場合には、照光部材及び可動接点がホルダーを介してユニット化されることから、照光部材及び可動接点を操作体に取り付ける作業を簡略化できるので、本回転型電気部品の組立作業性を向上することが可能となる。
【００１１】
さらに、上記回転型電気部品において、前記筐体内で前記摺動子を保持する保持部材を備え、前記保持部材に前記給電用パターンを接続すると共に、当該保持部材に前記摺動子及び給電用パターンと導通する複数の端子を設けるようにしても良い。この場合には、給電用パターン及び摺動子が保持部材を介してユニット化されることから、給電用パターン及び摺動子を取り付ける作業を簡略化できるので、本回転型電気部品の組立作業性を向上することが可能となる。
【００１２】
さらに、上記回転型電気部品において、前記筐体内に、前記給電用パターンの位置決めを行うためのガイド部を設けるようにしても良い。この場合には、ガイド部により給電用パターンの位置決めが行われるので、筐体内に給電用パターンを配設する作業を簡略化することが可能となる。
【発明の効果】
【００１３】
本発明によれば、部品自体が薄型化された回転型電気部品を提供することが可能となる。
【発明を実施するための最良の形態】
【００１４】
以下、本発明の一実施の形態について添付図面を参照して詳細に説明する。
【００１５】
図１は、本発明の一実施の形態に係る回転型電気部品の分解斜視図である。図２は、本実施の形態に係る回転型電気部品の全体斜視図である。なお、以下においては、適宜、図１に示す右方側を回転電気部品の後方側と呼び、左方側を回転電気部品の前方側と呼ぶものとする。
【００１６】
図１において、筐体の一部として機能するケース１は、例えば、合成樹脂等の絶縁材で構成される。ケース１には、中央に大きな中空状の空洞部を有する筒状軸１ａが突出して設けられている。筒状軸１ａの基部外周には、円環状の底面部を有する収納部１ｂが設けられている。収納部１ｂには、同図に示す下方側に突出する突出収納部１ｃが設けられている。また、ケース１の外側面には、前後方向に沿って、後述する取付部材１１の係合脚片１１ｂが係合される複数の係合溝１ｄが形成されている。さらに、ケース１の外周面の一定位置には、後述する取付部材１１の固定片１１ｄの開口部１１ｅに入り込む係止片１ｅが形成されている。
【００１７】
収納部１ｂの底面部には、発光ダイオードからなる後述する発光素子７に給電する一対の給電用パターン２ａ、２ｂが取り付けられる。また、突出収納部１ｃには、後述する絶縁基板３の摺動パターン上を摺動する摺動子２ｃを保持する保持部材２ｄが取り付けられる。なお、給電用パターン２ａ、２ｂ、並びに、保持部材２ｄの構成については後述する。
【００１８】
絶縁基板３は、フェノール樹脂等の積層板からなり、中央に大きな開口部を有する略円形の平板状に形成され、円環状の基板部３ａを有している。円環状の基板部３ａの後方側の面には、開口部に沿って内側に円弧状に配設された電極パターン３ｂ−２（図１に不図示）及びこの電極パターン３ｂ−２の外周に沿って平行して円弧状に配設された抵抗パターン３ｃ（図１に不図示）が形成されている。さらに、この抵抗パターン３ｃの外周に沿って平行して円弧状に電極パターン３ｂ−１（図１に不図示）が形成されている（図１１参照）。この電極パターン３ｂ（３ｂ−１、３ｂ−２）と抵抗パターン３ｃとで摺動パターンが構成される。また、基板部３ａの内側には、後述するホルダー６の一端が貫通する貫通部として機能する切り欠き部３ｄが形成されている。なお、ここでは、貫通部を切り欠きで構成する場合について示すが、これに限定されるものではなく、適宜変更が可能であり、例えば、これを貫通孔で構成するようにしてもよい。
【００１９】
操作体４は、合成樹脂等の絶縁材からなり、中央に大きな中空状の空洞部を有する筒状に形成されている。操作体４には、ケース１の筒状軸１ａに回転可能に軸支される円筒状の回転軸４ａと、絶縁基板３の位置決めを行う鍔部４ｂとが設けられている。絶縁基板３が有する開口部は、回転軸４ａよりも僅かに大きな径を有している。この開口部に回転軸４ａが圧入されることで、操作体４の回転に伴って絶縁基板３が一体的に回転可能に構成されている。なお、絶縁基板３は、鍔部４ｂに到達する位置まで押し込まれた状態で位置決めが行われる。
【００２０】
また、回転軸４ａの側面部には、後述するホルダー６を保持するホルダー保持部４ｃが設けられている。なお、絶縁基板３は、切り欠き部３ｄがホルダー保持部４ｃに対応するように、操作体４に取り付けられる。さらに、回転軸４ａの側面部には、後述する回転部材５の係合溝５ｅと係合する複数の係合片４ｄが形成されている。
【００２１】
回転部材５は、合成樹脂等の絶縁材からなり、中央に大きな開口部を有する円環状の基盤部５ａを有している。この基盤部５ａの外周側には、円環状の底面部が設けられている。この底面部には、後述する第１の板ばね１０ａが有するクリック用突起１０ｃが摺動することで回転時のクリック感触を発生させる連続した凹凸状のクリックカム５ｂが形成されている。また、基盤部５ａ及び底面部の所定位置には、後述するホルダー６が貫通する切り欠き部５ｃが形成されている。さらに、底面部の外周側の一定領域には、後述する第２の板ばね１０ｂが有するトルク用摺動片１０ｄが摺動することで回転時のトルクを発生させる半円環状のトルク付与部５ｄが設けられている。さらに、基盤部５ａの内側には、操作体４の係合片４ｄを収容する係合溝５ｅが形成されている。
【００２２】
基盤部５ａが有する開口部は、操作体４の回転軸４ａよりも僅かに大きな径を有している。この開口部に操作体４の回転軸４ａが圧入されると共に、操作体４の係合片４ｄが係合溝５ｅに収容されることで、操作体４の回転に伴って回転部材５が一体的に回転可能に構成されている。なお、トルク付与部５ｄの両端部には、後述する取付部材１１が有する一対の当接片であるストッパ片１１ｆと当接して操作体４の回転角度を規制する規制部材である回転規制部５ｆがそれぞれ前方側に突出して形成されている。
【００２３】
ホルダー６は、合成樹脂等の絶縁材からなり、一端側（前方側）に照光部材として機能する発光素子７の素子部７ａを収容する素子収容部６ａが設けられている。一方、他端側（後方側）には、弾性を有する導電性の薄板金属板からなる、一対の導電板８、９が熱カシメなどにより固着される。なお、導電板８、９は、それぞれ給電用パターン２ａ、２ｂ上を摺動する可動接点として機能する摺動子８ａ、９ａを有すると共に、素子収容部６ａ内で発光素子７のリード端子７ｂを挟持する接続片８ｂ、９ｂを有している。発光素子７を収容すると共に導電板８、９が固着されたホルダー６が、操作体４のホルダー保持部４ｃに取り付けられる。
【００２４】
弾性部材１０は、弾性を有する金属板（例えば、ステンレスやリン青銅等）からなり、図１に示す上方側に開口した半円弧状を有する第１の板ばね１０ａと、同図に示す下方側に開口した半円弧状を有する第２の板ばね１０ｂとを有している。これらの第１及び第２の板ばね１０ａ、１０ｂは、打ち抜き加工により外形を形成された後、例えば、折り曲げ加工により所望の形状に形成される。
【００２５】
第１の板ばね１０ａの中央部分には、回転部材５が有するクリックカム５ｂ上を摺動するクリック用突起１０ｃが後方側に向かって形成されている。第２の板ばね１０ｂの中央部分には、回転部材５が有するトルク付与部５ｄ上を摺動するトルク用摺動片１０ｄが図１に示す上方側に向かって、すなわち、第２の板ばね１０ｂの中央部を外周側に突出させて形成されている。これらのような第１及び第２の板ばね１０ａ、１０ｂの両端部が、鳩目カシメなどにより後述する取付部材１１の後方側の面に固着される。クリック用突起１０ｃが突出部として機能し、トルク用摺動片１０ｄが摺動部として機能する。
【００２６】
なお、本実施の形態においては、図１に示すように、クリック用突起１０ｃとトルク用摺動片１０ｄとを、操作体４の回転軸線を挟んで対向する位置に配置している。このようにクリック用突起１０ｃ及びトルク用摺動片１０ｄを配置することで、クリック用突起１０ｃが係脱するクリックカム５ｂ、並びに、トルク用摺動片１０ｄが摺動するトルク付与部５ｄが形成されるスペースを大きくでき、結果として、回転操作を受けた場合における操作体４の回転角度を広くすることが可能となる。
【００２７】
ケース１と共に筐体の一部として機能する取付部材１１は、金属板を打ち抜き、折り曲げて形成されており、円環状の上板部１１ａと、この上板部１１ａから後方側に向けて直角に垂下された複数の係合脚片１１ｂ（本実施の形態では４個）と、一対の枠足１１ｃと、２つの固定片１１ｄとを有している。取付部材１１は、ケース１の収納部１ｂに収容された回転部材５の前方側からケース１に取り付けられると共に、複数の係合脚片１１ｂがケース１の外側面に形成された複数の係合溝１ｄと係合することにより、操作体４をケース１に回転可能に収容できるように構成されている。
【００２８】
固定片１１ｄは、上板部１１ａから後方側に向けて折り曲げて形成されている。また、その内側部分を上板部１１ａの後面側に重ね合わせるように、取付部材１１の内側に向けて折り曲げることで形成される開口部１１ｅと、ストッパ片１１ｆ（図１に不図示）とを有している（図１２参照）。この開口部１１ｅにケース１が有する一対の係止片１ｅがそれぞれ入り込んで係止されると共に、係合脚片１１ｂの先端をケース１の後面側で内側に折り曲げることにより、取付部材１１がケース１に固定されるように構成されている。
【００２９】
なお、固定片１１ｄは、取付部材１１に固定された第２の板ばね１０ｂのトルク用摺動片１０ｄの両端部に対応する位置に一対形成されている。固定片１１ｄが有するストッパ片１１ｆは、回転部材５に形成された回転規制部５ｆと当接し、回転部材５が装着された操作体４の回転角度を規制するように構成されている。
【００３０】
このような構成部品を有する回転型電気部品を組み立てると、図２に示すように、ケース１内に、操作体４に装着された絶縁基板３及び回転部材５が収容された状態で、取付部材１１が前方側から取り付けられる。このとき、取付部材１１の係合脚片１１ｂがケース１の係合溝１ｄに係合し、ケース１の係止片１ｅが固定片１１ｄの開口部１１ｅに入り込んだ状態となっており、取付部材１１の上板部１１ａの浮きを防止している。取付部材１１の上板部１１ａからは、回転軸４ａ及び操作体４に装着された発光素子７が前方側に向けて露出した状態となっている。このように組み立てられた状態において、操作体４並びに操作体４に装着された絶縁基板３及び回転部材５は、ケース１に対して回転可能に構成される。
【００３１】
図３及び図４は、本実施の形態に係る回転型電気部品の断面図である。なお、図３は、発光素子７を保持するホルダー６を図１に示す左右方向（幅方向）に沿って切断した場合の断面図を示し、図４は、ホルダー６に保持される発光素子７を図１に示す上下方向に沿って切断した場合の断面図を示している。
【００３２】
図３に示すように、操作体４に保持されたホルダー６は、同じく操作体４に装着された回転部材５及び絶縁基板３に形成された切り欠き部５ｃ及び切り欠き部３ｄを介して、同図に示す下端部をケース１側に露出している。ホルダー６の下端部には、導電板８、９が固着されている。導電板８、９が有する摺動子８ａ、９ａは、図３に示す下方側に向けて互いに交差するように設けられ、これら摺動子８ａ、９ａの先端がケース１の収納部１ｂに固定された給電用パターン２ａ、２ｂ上を摺動するように構成されている。
【００３３】
また、図４に示すように、ケース１の収納部１ｂに固定された保持部材２ｄが有する摺動子２ｃは、同図に示す上方側に向けて設けられ、絶縁基板３の下面側に形成された摺動パターン上を摺動するように構成されている。このように、本実施の形態に係る回転型電気部品においては、絶縁基板３とケース１の収納部１ｂとの間に形成される空間において、摺動子８ａ、９ａ及び摺動子２ｃが、それぞれ給電用パターン２ａ、２ｂ及び摺動パターンに摺接するようになっている。
【００３４】
次に、本実施の形態に係る回転型電気部品を組み立てる際の工程について説明する。本実施の形態に係る回転型電気部品は、例えば、ケース１に、給電用パターン２ａ、２ｂ及び摺動子２ｃを有する保持部材２ｄを取り付ける第１の工程と、操作体４に絶縁基板３及び回転部材５を装着すると共に、操作体４に発光素子７を保持したホルダー６を装着する第２の工程と、取付部材１１に弾性部材１０を取り付ける第３の工程と、第１〜第３の工程で形成されたユニットを一体化させる第４の工程とを経て組み立てられる。以下、各工程で形成されるユニットの構成について説明する。
【００３５】
まず、第１の工程で形成されるユニット（以下、適宜「ケースユニット」という）の構成について図５を用いて説明する。図５は、本実施の形態に係る回転型電気部品のケースユニットの上面図（平面図）である。なお、図５においては、説明の便宜上、導電板８、９の摺動子８ａ、９ａを示している。
【００３６】
図５に示すように、本実施の形態に係る回転型電気部品のケースユニットは、ケース１の収納部１ｂに給電用パターン２ａ、２ｂを取り付けると共に、突出収納部１ｃに保持部材２ｄを取り付けることで形成される。
【００３７】
給電用パターン２ａ、２ｂは、銅板あるいは銅板に銀等を被覆した良導電性の金属板材料で形成され、図５に示すように、互いに等間隔で同心円状に平行して設けられている。給電用パターン２ａ、２ｂには、所定位置にそれぞれ突出部２ｆ、２ｇが形成されている。突出部２ｆは、給電用パターン２ａの外周側に向かって形成され、突出部２ｇは、給電用パターン２ｂの内周側に向かって形成されている。
【００３８】
一方、収納部１ｂの所定位置には、給電用パターン２ａ、２ｂの位置決めを行うためのガイド部１ｆ、１ｇが形成されている。ガイド部１ｆ、１ｇは、僅かに回転型電気部品の前方側（図５に示す手前側）に突出した形状を有する。突出部２ｆをガイド部１ｆの間に配置することで給電用パターン２ａの位置決めを行い、突出部２ｇをガイド部１ｇの間に配置することで給電用パターン２ｂの位置決めを行うことが可能となる。このように位置決めされた給電用パターン２ａ、２ｂ上を、図５に示すように、それぞれ摺動子８ａ、９ａが摺動するように配置されている。摺動子８ａ、９ａが給電用パターン２ａ、２ｂに摺接することで、不図示の電源より発光素子７に対して電源が供給されるようになっている。
【００３９】
保持部材２ｄは、例えば、合成樹脂等の絶縁材で構成されている。保持部材２ｄには、中央に矩形状の開口部２ｈが形成されている。この開口部２ｈにおける側方側の端面に複数の摺動子２ｃが設けられている。本実施の形態においては、開口部２ｈにおける右方側及び左方側の端面から、他方側の端面に向けてそれぞれ３本の摺動子２ｃが設けられている。なお、ケース１の収納部１ｂに取り付けられた給電用パターン２ａ、２ｂは、保持部材２ｄに取り付けられている。
【００４０】
図６は、本実施の形態に係る回転型電気部品が有する保持部材２ｄの斜視図である。図６に示すように、保持部材２ｄの開口部２ｈに設けられた摺動子２ｃは、同図に示す上方側に配設される絶縁基板３上の摺動パターン（電極パターン３ｂ及び抵抗パターン３ｃ）に接触できるように、その先端が上方側に持ち上げられている。この摺動パターンに摺動子２ｃが摺接することで、外部の制御回路などに所望の信号を出力できるようになっている。
【００４１】
なお、図６においては、６本のうち、４本の摺動子２ｃを上方側に持ち上げ、絶縁基板３上の摺動パターンと接触させる場合について示しているが、これに限定されるものではなく、適宜変更が可能である。例えば、４本より少ない本数（例えば、３本）の摺動子２ｃを上方側に持ち上げ、摺動パターンと接触させるようにしても良い。また、６本全ての摺動子２ｃを上方側に持ち上げると共に、摺動パターンを１本のコモンパターンと複数本（例えば、５本）のコードパターンで形成して、各パターンに６本の摺動子２ｃをそれぞれ摺接させることにより、例えば、５ｂｉｔのエンコーダ出力を得ることも可能である。
【００４２】
保持部材２ｄの一端には、複数本の入出力端子２ｉがインサート成形等により設けられている。入出力端子２ｉは、保持部材２ｄから図６に示す下方側に垂直に折り曲げられた形状を有する。これらの入出力端子２ｉは、保持部材２ｄに接続された給電用パターン２ａ、２ｂ、並びに、保持部材２ｄが保持する複数の摺動子２ｃとそれぞれ導通するように構成されている。保持部材２ｄがケース１に固定された状態で、ケース１に形成された穴部１ｈ（図１参照）から入出力端子２ｉが突出し、本回転型電気部品が実装される回路基板等に電気的に接続されるようになっている。このように、給電用パターン２ａ、２ｂ及び摺動子２ｃが保持部材２ｄを介してユニット化することで、給電用パターン２ａ、２ｂ及び摺動子２ｃを取り付ける作業を簡略化し、本回転型電気部品の組立作業性を向上している。
【００４３】
次に、第２の工程で形成されるユニット（以下、適宜「操作体ユニット」という）の構成について図７及び図８を用いて説明する。図７は、本実施の形態に係る回転型電気部品の操作体ユニットを前方側から見た場合の斜視図であり、図８は、操作体ユニットを後方側から見た場合の斜視図である。
【００４４】
図７及び図８に示すように、本実施の形態に係る回転型電気部品の操作体ユニットは、操作体４の後方側から絶縁基板３を装着すると共に、前方側から回転部材５、並びに、発光素子７を保持したホルダー６を装着することで形成される。
【００４５】
図７及び図８に示すように、絶縁基板３と回転部材５とは、それぞれに形成された切り欠き部３ｄの位置及び切り欠き部５ｃの位置を、ホルダー保持部４ｃの位置に合わせた状態で、操作体４の後方側端部にて重ねられるように装着されている。このように絶縁基板３及び回転部材５が装着された操作体４にホルダー６を装着することで、図８に示すように、ホルダー６に固着された導電板８、９の摺動子８ａ、９ａが絶縁基板３の切り欠き部３ｄから露出した状態となっている。このように切り欠き部３ｄを介して摺動子８ａ、９ａを露出することにより、絶縁基板３の領域内で摺動子８ａ、９ａを給電用パターン２ａ、２ｂに摺接させ、部品自体の小型化を図っている。
【００４６】
ここで、図７及び図８を参照しつつ、図９〜図１１を用いて操作体ユニットを構成する各部材の構成について説明する。図９は、本実施の形態に係る回転型電気部品の操作体ユニットの上面図（平面図）である。図１０は、本実施の形態に係る回転型電気部品のホルダー６の斜視図である。図１１は、本実施の形態に係る回転型電気部品の絶縁基板３の後面図（裏面図）である。
【００４７】
まず、図９を用いて回転部材５の構成について説明する。図９に示すように、回転部材５においては、基盤部５ａの外周側であって、下方側半分の位置にクリックカム５ｂが円弧状に形成されている。また、このクリックカム５ｂが形成される底面部の外周側であって、上方側半分よりも僅かに下方側の位置までトルク付与部５ｄが円弧状に形成されている。すなわち、トルク付与部５ｄの両端部は、クリックカム５ｂに一部オーバーラップした状態となっている。なお、トルク付与部５ｄは、クリックカム５ｂよりも外周側に設けられていると共に、クリックカム５ｂを構成する凹凸部よりもトルク付与部５ｄが前方側に突出した高さ寸法に設定されており、これにより、両者がオーバーラップ可能な構成としている。そして、このトルク付与部５ｄの終端部に、トルク付与部５ｄよりも前方側に突出した回転規制部５ｆが形成されている。
【００４８】
次に、図１０を用いてホルダー６の構成について説明する。図１０（ａ）に示すように、ホルダー６の前方側に設けられた素子収容部６ａは、内部に空間を有している。発光素子７は、素子部７ａのみを露出した状態でこの素子収容部６ａに収容される。また、図１０（ｂ）に示すように、ホルダー６の後方側の端部に固着される導電板８、９は、それぞれ摺動子８ａ、９ａを有している。摺動子８ａ、９ａは、ケース１の収納部１ｂに取り付けられる給電用パターン２ａ、２ｂに接触できるように、その先端が回転型電気部品の後方側に向けて形成されている。
【００４９】
このように、操作体４に着脱可能に設けられ、発光素子７を保持するホルダー６の一端に摺動子８ａ、９ａを固着させることで、発光素子７及び摺動子８ａ、９ａを、ホルダー６を介してユニット化している。これにより、発光素子７及び摺動子８ａ、９ａを操作体４に取り付ける作業を簡略化し、本回転型電気部品の組立作業性を向上させている。
【００５０】
なお、摺動子８ａ、９ａは、その自由端側である先端が互いに他方の摺動子の固定端側である根元部側に向けて形成されている。また、その先端は、切り欠き部３ｄや切り欠き部５ｃの範囲内で給電用パターン２ａ、２ｂに向けて露出すべく、ホルダー６の外枠内に収まっている。このため、摺動子８ａ、９ａがホルダー６の一端を絶縁基板３の切り欠き部３ｄや、回転部材５の切り欠き部５ｃに貫通させる際の障害となることはない。これにより、絶縁基板３の切り欠き部３ｄや、回転部材５の切り欠き部５ｃが必要以上に大きくなるのを防止でき、絶縁基板３及び回転部材５の強度が低下するのを防止することが可能となる。
【００５１】
次に、図１１を用いて絶縁基板３の構成について説明する。図１１に示すように、絶縁基板３の後方側の一面には、切り欠き部３ｄを除く領域に、電極パターン３ｂ及び抵抗パターン３ｃが同心円状に形成されている。本実施の形態においては、抵抗パターン３が基板部３ａの中央に円弧状に形成されている。そして、この抵抗パターン３ｃの一端に接続され、基板部３ａの外周側に沿って円弧状に電極パターン３ｂ−１が形成されている。また、抵抗パターン３ｃの他端に接続され、基板部３ａの内周側に沿って円弧状に電極パターン３ｂ−２が形成されている。
【００５２】
次に、第３の工程で形成されるユニット（以下、適宜「取付部材ユニット」という）の構成について図１２を用いて説明する。図１２は、本実施の形態に係る回転型電気部品の取付部材ユニットを後方側から見た場合の斜視図である。なお、図１２においては、説明の便宜上、図１に示す取付部材１１の上下を逆にして示している。
【００５３】
図１２に示すように、第１の板ばね１０ａは、枠足１１ｃよりも僅かに上方側の位置でその両端部を取付部材１１の裏面に固定されている。一方、第２の板ばね１０ｂは、枠足１１ｃよりも僅かに下方側の位置でその両端部を取付部材１１の裏面に固定されている。このように取り付けられた状態で、クリック用突起１０ｃ、トルク用摺動片１０ｄが形成される第１及び第２の板ばね１０ａ、１０ｂの中央部は、回転型電気部品の後方側、すなわち、操作体ユニット側に盛り上がった形状となっている。
【００５４】
また、固定片１１ｄを形成するための残部によって形成されるストッパ片１１ｆは、固定片１１ｄから上板部１１ａの内側に向かって垂直に折り曲げられて、上板部１１ａの裏面と重ね合わされるように形成されている。図１２に示すように、一対のストッパ片１１ｆは、第２の板ばね１０ｂに形成されたトルク用摺動片１０ｄの両端部の近傍に配置されるように形成されている。このようにトルク用摺動片１０ｄの両端部の近傍にストッパ片１１ｆを形成することで、トルク用摺動片１０ｄが、回転部材５が有する回転規制部５ｆに接触して破損するのを防止している。
【００５５】
ここで、取付部材１１に固定された第１及び第２の板ばね１０ａ、１０ｂと、回転部材５が有するクリックカム５ｂ、トルク付与部５ｄとの関係について説明する。図１３は、本実施の形態に係る回転型電気部品の取付部材１１を取り除いた状態の上面図（平面図）である。なお、図１３においては、説明の便宜上、第１及び第２の板ばね１０ａ、１０ｂを示している。
【００５６】
図１３に示すように、第１の板ばね１０ａは、回転部材５における下方側半分の部分に対応するように取付部材１１に固定され、第２の板ばね１０ｂは、回転部材５における上方側半分の部分に対応するように取付部材１１に固定される。特に、第１の板ばね１０ａは、中央部に形成されたクリック用突起１０ｃがクリックカム５ｂの位置に対応するように取付部材１１に固定され、第２の板ばね１０ｂは、中央部に形成されたトルク用摺動片１０ｄがトルク付与部５ｄに対応するように取付部材１１に固定されている。
【００５７】
また、図１３に示すように、トルク用摺動片１０ｄは、クリックカム５ｂよりも外周側の位置でトルク付与部５ｄに弾接している。トルク用摺動片１０ｄがこのような位置でトルク付与部５ｄに弾接することにより、クリックカム５ｂと同一の位置で操作体４と弾接する場合と比べて、回転操作時における発生するトルクを大きくすることが可能となる。
【００５８】
次に、本実施の形態に係る回転型電気部品の動作について説明する。操作者により操作体４の回転軸４ａが図示しない操作つまみを介して回転操作されると、操作体４に装着された回転部材５が操作体４と共に回転する。このとき、ケース１内に固定された保持部材２ｄの摺動子２ｃが、絶縁基板３の後面側に形成された摺動パターン（電極パターン３ｂ及び抵抗パターン３ｃ）上を摺動することにより、回転角度に則した所望の信号値（抵抗値）が検出される。そして、かかる信号値が入出力端子２ｉを介して外部の電子機器等の制御回路へ出力されることとなる。
【００５９】
また、このとき、操作体４に装着されたホルダー６が保持する発光素子７は、導電板８、９を介して回転操作の間中、常時、ケース１内に固定された給電用パターン２ａ、２ｂと摺接した状態となっており、入出力端子２ｉを介して発光素子７に電源が供給されている。これにより、発光素子７が回転操作中に亘って発光可能となっている。
【００６０】
特に、本実施の形態においては、操作者により、図示しない操作つまみ等を介して操作体４の回転軸４ａが回転操作されると、この回転時に、取付部材１１に固定された第１の板ばね１０ａのクリック用突起１０ｃがクリックカム５ｂ上を摺動することで、回転時におけるクリック感触を操作者に与えることが可能となっている。また、取付部材１１に固定された第２の板ばね１０ｂのトルク用摺動片１０ｄがトルク付与部５ｄ上を摺動することで、回転時におけるトルクを発生させることが可能となっている。
【００６１】
このように、本実施の形態に係る回転型電気部品おいては、絶縁基板３における摺動パターンの形成面と、ケース１における給電用パターン２ａ、２ｂの配設面との間に形成される空間内において、摺動子８ａ、９ａ及び摺動子２ｃがそれぞれ給電用パターン２ａ、２ｂ及び摺動パターンに摺接することから、摺動子８ａ、９ａ及び摺動子２ｃを別個に収容する空間を形成する必要がなくなるので、本回転型電気部品自体を薄型化することが可能となる。
【００６２】
特に、本実施の形態においては、給電用パターン２ａ、２ｂと、絶縁基板３に形成された摺動パターンとを対向配置させている。これにより、給電用パターン２ａ、２ｂ及び摺動パターンを形成するスペースを共用することができるので、当該スペースの幅を縮小でき、本回転型電気部品自体を小型化することが可能となる。
【００６３】
また、本実施の形態においては、回転部材５に、取付部材１１に形成されたストッパ片１１ｆとの当接により当該回転部材５の回転を規制する回転規制部５ｆを設けている。これにより、回転部材５の回転を規制するための部品等を別途用意する必要がなくなるので、部品点数を軽減して更に製造コストを低減することが可能となる。
【００６４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６５】
例えば、上記実施の形態においては、操作体４と回転部材５とが別部材である場合について説明している。しかし、操作体４と回転部材５との関係については、このような場合に限定されず、適宜変更することが可能である。例えば、操作体４と回転部材５とを一体化させても良い。すなわち、操作体４の所定位置にクリックカム５ｂやトルク付与部５ｄを設けるようにしても良い。このように変更した場合においても、本実施の形態と同様の効果を得ることが可能である。
【００６６】
また、上記実施の形態に係る回転型電気部品においては、摺動パターンを電極パターン３ｂと抵抗パターン３ｃとで構成する可変抵抗器回路で構成する場合について示しているが、本発明はこれに限らず、摺動パターンをコモンパターンとコードパターン、或いは、接点パターン等で形成してエンコーダ回路、或いは、スイッチ回路等を構成するようにしても良い。
【図面の簡単な説明】
【００６７】
【図１】本発明の一実施の形態に係る回転型電気部品の分解斜視図である。
【図２】上記実施の形態に係る回転型電気部品の全体斜視図である。
【図３】上記実施の形態に係る回転型電気部品の断面図である。
【図４】上記実施の形態に係る回転型電気部品の断面図である。
【図５】上記実施の形態に係る回転型電気部品のケースユニットの上面図である。
【図６】上記実施の形態に係る回転型電気部品が有する保持部材の斜視図である。
【図７】上記実施の形態に係る回転型電気部品の操作体ユニットを前方側から見た場合の斜視図である。
【図８】上記実施の形態に係る回転型電気部品の操作体ユニットを後方側から見た場合の斜視図である。
【図９】上記実施の形態に係る回転型電気部品の操作体ユニットの上面図である。
【図１０】上記実施の形態に係る回転型電気部品のホルダーの斜視図である。
【図１１】上記実施の形態に係る回転型電気部品の絶縁基板の後面図である。
【図１２】上記実施の形態に係る回転型電気部品の取付部材ユニットを後方側から見た場合の斜視図である。
【図１３】上記実施の形態に係る回転型電気部品の取付部材を取り除いた状態の上面図である。
【符号の説明】
【００６８】
１  ケース（筐体）
１ａ  筒状軸
１ｂ  収納部
１ｃ  突出収納部
１ｄ  係合溝
１ｅ  係止片
１ｆ、１ｇ  ガイド部
２ａ、２ｂ  給電用パターン
２ｃ  摺動子
２ｄ  保持部材
２ｆ、２ｇ  突出部
２ｉ  入出力端子（端子）
３  絶縁基板（基板）
３ａ  基板部
３ｂ  電極パターン（摺動パターン）
３ｃ  抵抗パターン（摺動パターン）
３ｄ  切り欠き部（貫通部）
４  操作体
４ａ  回転軸
４ｂ  鍔部
４ｃ  ホルダー保持部
４ｄ  係合片
５  回転部材
５ａ  基盤部
５ｂ  クリックカム
５ｃ  切り欠き部
５ｄ  トルク付与部
５ｅ  係合溝
５ｆ  回転規制部
６  ホルダー
６ａ  素子収容部
７  発光素子（照光部材）
７ａ  素子部
７ｂ  リード端子
８、９  導電板
８ａ、９ａ  摺動子（可動接点）
１０  弾性部材
１０ａ  第１の板ばね
１０ｂ  第２の板ばね
１０ｃ  クリック用突起
１０ｄ  トルク用摺動片
１１  取付部材（筐体）
１１ａ  上板部
１１ｂ  係合脚片
１１ｃ  枠足
１１ｄ  固定片
１１ｅ  開口部
１１ｆ  ストッパ片
【図１】
2007311645.tif 000003
【図２】
2007311645.tif 000004
【図３】
2007311645.tif 000005
【図４】
2007311645.tif 000006
【図５】
2007311645.tif 000007
【図６】
2007311645.tif 000008
【図７】
2007311645.tif 000009
【図８】
2007311645.tif 000010
【図９】
2007311645.tif 000011
【図１０】
2007311645.tif 000012
【図１１】
2007311645.tif 000013
【図１２】
2007311645.tif 000014
【図１３】
2007311645.tif 000015